(57)【特許請求の範囲】
【請求項１】
箱状の架台の上部に設けたベースプレート上に、ワークを支持するワークテーブルを左右方向へ往復動自在に設け、前記ベースプレートの下方位置に設けた駆動ホイールと上方位置に設けた従動ホイールとにエンドレス状の帯鋸刃を掛回してなる竪型帯鋸盤において、前記ベースプレートの左右の一端側から中央付近に亘って前記帯鋸刃を通過自在のスリットを設け、このスリットによって前後に区画された前記ベースプレートの後側部分の下側領域に、前記帯鋸刃の着脱交換時に前記スリットに沿ってベースプレートの一端側から前記駆動ホイールとの間を帯鋸刃が左右方向に移動自在の通路を設けてなり、前記ベースプレートの前記スリットに対応するスリットを前記ワークテーブルに設けて、ワークテーブルを前テーブルと後テーブルとに分割して備え、上記後テーブルに、ワークの前後方向の位置決めを行うためのバックゲージを前後方向へ移動位置決め自在に設けると共に、前後のテーブルに、ワークを左右方向から挟持固定するための固定クランプジョーと可動クランプジョーとをそれぞれ備えていることを特徴とする竪型帯鋸盤。
【発明の詳細な説明】
【０００１】
【発明の属する技術分野】
本発明は竪型帯鋸盤に係り、さらに詳細には構成が簡単でエンドレス状の帯鋸刃の着脱交換を容易に行うことのできる竪型帯鋸盤に関する。
【０００２】
【従来の技術】
従来、箱状の架台の上部に設けたベースプレート上に、ワークを支持するワークテーブルを左右方向へ往復動自在に設けた竪型帯鋸盤において、前記ベースプレートの下方に位置する駆動ホイールと上方に位置する従動ホイールとに掛回したエンドレス状の帯鋸刃の着脱交換は、前記ベースプレートの後端部から前後方向に設けたスリット内を帯鋸刃を通過せしめることによって行われている。
【０００３】
【発明が解決しようとする課題】
上述のごとき従来の構成においては、ベースプレート上に設けたワークテーブル用左右方向のガイドを前記スリットが前後方向に横切るので、このスリットの部分でのワークテーブルの円滑な移動が阻害されないように、前記ガイド部分のスリットを栓によって塞ぐことや、ガイド部分のスリットを斜めにするなどの工夫をしなければならず、構成が複雑化し製造コストの面でさらに改善すべき問題があった。
【０００４】
【課題を解決するための手段】
前述のごとき従来の問題に鑑みて、本発明は、箱状の架台の上部に設けたベースプレート上に、ワークを支持するワークテーブルを左右方向へ往復動自在に設け、前記ベースプレートの下方位置に設けた駆動ホイールと上方位置に設けた従動ホイールとにエンドレス状の帯鋸刃を掛回してなる竪型帯鋸盤において、前記ベースプレートの左右の一端側から中央付近に亘って前記帯鋸刃を通過自在のスリットを設け、このスリットによって前後に区画された前記ベースプレートの後側部分の下側領域に、前記帯鋸刃の着脱交換時に前記スリットに沿ってベースプレートの一端側から前記駆動ホイールとの間を帯鋸刃が左右方向に移動自在の通路を設けてなり、前記ベースプレートの前記スリットに対応するスリットを前記ワークテーブルに設けて、ワークテーブルを前テーブルと後テーブルとに分割して備え、上記後テーブルに、ワークの前後方向の位置決めを行うためのバックゲージを前後方向へ移動位置決め自在に設けると共に、前後のテーブルに、ワークを左右方向から挟持固定するための固定クランプジョーと可動クランプジョーとをそれぞれ備えているものである。
【０００５】
【発明の実施の形態】
図１，図２を参照するに、本発明の一実施の形態に係る竪型帯鋸盤１は、箱状の架台３を備えており、この架台３上には左右方向に長いベースプレート５が設けてある。そして、上記ベースプレート５上には左右方向に長い複数のガイド部材７が設けてあり、このガイド部材７には例えば端材のごとき短いブロックなどのごときワーク（図示省略）を支持するワークテーブル９が左右方向へ往復動自在に支持されている。このワークテーブル９の左右方向への往復動は、例えば油圧シリンダあるいはサーボモータによって回転されるボールネジ機構のごときテーブル作動装置（図示省略）の作動によって自動的に行われるものである。
【０００６】
前記架台３の後側にはコラム１１が立設してあり、このコラム１１の上部にはホイールハウジング１３が設けられており、このホイールハウジング１３内には従動ホイール１５が回転自在に支承されており、前記ベースプレート５の下方位置で前記架台３内には従動ホイール１５と上下に対向した駆動ホイール１７が回転自在に設けられている。そして、上記駆動ホイール１７と従動ホイール１５にはエンドレス状の帯鋸刃１９が掛回してある。
【０００７】
なお、前記ホイールハウジング１３には、帯鋸刃１９を着脱するときに開平自在の扉２１が設けてあり、また前記架台３の左右の一側端部（本例においては左側端部）にも扉２３が開閉自在に設けてある。また前記ホイールハウジング１３の下側には帯鋸刃１９を挟持案内する鋸刃ガイド２５が上下調節自在に設けられている。
【０００８】
前記ワークテーブル９と前記帯鋸刃１９との干渉を回避するために、前記ワークテーブル９には左右方向のスリット２７が設けてある。このスリット２７の一端（左端）はワークテーブル９の左端に達しており、このスリット２７によってワークテーブル９は前テーブル９Ｆと後テーブル９Ｒとに分割してある。
【０００９】
上記前テーブル９Ｆと後テーブル９Ｒは前記ガイド部材７にそれぞれ移動自在に支持されており、かつ上記前テーブル９Ｆと後テーブル９Ｒの他端部（右端部）は連結ブラケット２９によって一体的に連結してある。そして、上記連結ブラケット２９には前後のクランプシリンダ３１Ｆ，３１Ｒが取付けてあり、この前後のクランプシリンダ３１Ｆ，３１Ｒに左右方向に往復動自在に備えた各ピストンロッドには、前記スリット２７を間にして前後に位置する前後の可動クランプジョー３３Ｆ，３３Ｒが設けられている。
【００１０】
したがって、前記ワークテーブル９における前後テーブル９Ｆ，９Ｒの一端部に設けた前後の固定クランプジョー３５Ｆ，３５Ｒと前記可動クランプジョー３３Ｆ，３３Ｒとによってワークの切断部を間にして前後両側でワークを挟持固定することができるものである。
【００１１】
切断すべきワークの前後方向の位置決めを行うために、前記後テーブル９Ｒの一端側にはバックゲージ３７が前後方向へ移動位置決め自在に設けられている。
【００１２】
このバックゲージ３７は、ボールネジケーシング３９内に前後方向に長くかつ回転自在に設けたボールネジ（図示省略）に移動自在に螺合してあり、上記ボールネジは、ボールネジケーシング３９の後側に設けたモータハウジング４１内に内装した位置決め用サーボモータ（図示省略）によって回転される構成である。
【００１３】
したがって、前記バックゲージ３７は前後方向に自動的に移動位置決め自在なものである。
【００１４】
前記ワークテーブル９に設けた左右方向のスリット２７に対応して前記ベースプレート５に左右方向のスリット４３が設けられている。このスリット４３は前記ベースプレート５の左右方向のほぼ中央部から一端側（左端側）に亘って設けられており、このスリット４３によって前後に区画されたベースプレート５の後側部分５Ｒ（図２参照）の下側領域は、前記帯鋸刃１９の着脱交換時に前記スリット４３に沿ってベースプレート５の一端側（左端側）から前記駆動ホイール１７の位置へ帯鋸刃１９が移動自在であるように通路が形成してある。
【００１５】
換言すれば、ベースプレート５の前記後側部分５Ｒは、ベースプレート５の中央部付近から左方向へオーバーハングするように突出した態様すなわち片持式に支持された態様であって、後側部分５Ｒは主柱等によって支持されることなく宙に浮いた状態にあるものである。
【００１６】
以上のごとき構成において、ワークの切断を行うには、先ずバックゲージ３７を前後方向に位置決めし、このバックゲージ３７に当接するようにワークをワークテーブル９上に載置した後、前後のクランプシリンダ３１Ｆ，３１Ｒを作動して、前後の固定クランプジョー３５Ｆ，３５Ｒと可動クランプジョー３３Ｆ，３３Ｒによってワークを左右方向から挟持固定する。その後に駆動ホイール１７を上下方向に回転駆動すると共にワークテーブル９を右方向へ移動することにより、ワークに対して帯鋸刃１９の相対的な切込みが行われてワークの切断が行われることになる。
【００１７】
前記帯鋸刃１９の着脱交換を行うときは、ワークテーブル９上からワークを取り除き、ホイールハウジング１３の扉２１を開くと共に架台３に設けた扉２３を開いて、従動ホイール１５及び駆動ホイール１７の左側を開放する。その後に従動ホイール１５及び駆動ホイール１７から帯鋸刃１９を取り外し、図１に仮想線で示すように、ワークテーブル９に設けたスリット２７及びベースプレート５に設けたスリット４３に沿って帯鋸刃１９を左方向へ移動することにより、ワークテーブル９の後テーブル９Ｒ及びベースプレート５の後側部分５Ｒは帯鋸刃１９の内側を相対的に通過して抜けることとなり、帯鋸刃１９を外方へ取り出すことができる。そして、上述とは逆の動作を行うことにより、新しい帯鋸刃１９を、従動ホイール１５と駆動ホイール１７とに掛回することができるものであります。
【００１８】
【発明の効果】
以上のごとき説明より理解されるように、本発明においては、ワークテーブルおよび当該ワークテーブルを支持したベースプレートに左右方向のスリットが形成してあり、上記スリットによって前後に区画された後テーブル及びベースプレートの後側部分がエンドレスの帯鋸刃内を相対的に通過する態様でもって帯鋸刃の着脱交換を行うことができるものである。
【００１９】
したがって、ベースプレート上においてワークテーブルを左右方向にガイドするガイド部を前記スリットが横切るようなことがなく、ワークテーブルの左右方向への移動が円滑に行われ得ると共にベースプレートやワークテーブルの製造も容易であり、前述したごとき従来の問題を改善し得るものである。
【図面の簡単な説明】
【図１】本発明の一実施の形態に係る竪型帯鋸盤の斜視説明図である。
【図２】同上の左側面図である。
【符号の説明】
１  竪型帯鋸盤
３  架台
５  ベースプレート
５Ｒ  後側部分
９  ワークテーブル
９Ｆ  前テーブル
９Ｒ  後テーブル
１５  従動ホイール
１７  駆動ホイール
１９  帯鋸刃
２７  スリット
３１  クランプシリンダ
３３  可動クランプジョー
３５  固定クランプジョー
３７  バックゲージ
４３  スリット
【図１】
0004413345.tif 000002
【図２】
0004413345.tif 000003